(57)【要約】【課題】通常の床面はもとより狭い溝、凹凸の床面でも使用できる軽量で経済的かつ衛生的な塵取りを提供すること。【解決手段】前方に弾力性のある変形自在の薄いシートで構成されるＵ字型の塵埃取り入れ口を有し、後方に塵埃排出用ツマミを有する収容袋からなる塵取り本体と塵取り本体に転倒防止用突起を有する連結体を貫通する取り外し自由な連結軸を介して回動自在に連結される柄から構成される塵取りで柔軟かつ軽量で塵取本体と柄の自由交換を特徴とする。【選択図】図１
2008055118.tif 000002
【特許請求の範囲】
【請求項１】
前方に弾力性のある変形自在の薄いシートで構成されるＵ字型の塵埃取り入れ口を有し、後方に塵埃排出用ツマミを有する収容袋からなる塵取り本体と塵取り本体に転倒防止用突起を有する連結体を貫通する取り外し自由な連結軸を介して回動自在に連結される柄から構成される塵取りで柔軟かつ軽量で塵取り本体と柄の自由交換を特徴とする塵取り。
【発明の詳細な説明】
【技術分野】
【０００１】  本発明は、塵取りに関するものである。
【背景技術】
【０００２】  従来の塵取りは堅固な箱型状もしくはスプーン型状で塵埃取入れ口の床面が剛性且つ平面であった。また一部が磨耗すると全部を破棄しなければならなかった。
【発明の開示】
【発明が解決しようとする課題】
【０００３】  しかしながら、上記のような塵取りではマンション通路脇溝や街路樹根元等の清掃は困難でそれぞれに合った塵取りを使用しなければならなかった。また一部が磨耗すると塵取り全部を破棄しなければならなかった。さらに長柄の塵取りにあっては使用待機中転倒し収容塵埃の放出と見苦しさがあった。また収容塵埃排出時底部を持つため不衛生だった。その上駅構内、道路など広範囲での持ち歩きながらの使用は重量からの作業負担があり、また引き摺った場合に床面を傷つけたり、騒音発生などの不具合があった。
【課題を解決するための手段】
【０００４】  本発明の塵取りは前方に弾力性のある変形自在の薄いシートで構成されるＵ字型の塵埃取り入れ口を有し、後方に塵埃排出用ツマミを有する収容袋からなる塵取り本体と塵取り本体に転倒防止用突起を有する連結体を貫通する取り外し自由な連結軸を介して回動自在に連結される柄から構成される塵取りで柔軟かつ軽量で塵取り本体と柄の自由交換を特徴とする。
【発明の効果】
【０００５】  本発明の塵取りは、弾力性のある変形自在の薄いシートで構成されるＵ字形の塵埃取り入れ口を有するから、柄の床面への押し加減で広くも狭くも、また床面の形状に応じて自在に変形するので通常の床面はもとより狭い溝状であっても凹凸の床面でも使用できる。また構造上部材が薄い化合物のため塵取り本体が数十グラムと軽量となり長時間使用に苦痛を感じない。また塵埃取り入れ口が薄いシート状であるため塵埃の掃き込みが良く掃き残しがない。更に連結軸が外せるので塵取り本体もしくは柄が磨耗しても一方のみの交換で済み経済的であり、塵埃量に応じた塵取り本体に交換することも出来る。また連結体に備えた転倒防止突起で使用待機中転倒しないので収納塵埃の飛散と床面に放置される見苦しさが避けられる。さらに排出用ツマミは常に地面と塵埃に触れることは無く、つまみあげると収容塵埃が排出されるので衛生的である。
【発明を実施するための最良の形態】
【０００６】  以下、本発明にかかる塵取りの一実施形態を図面に基づいて説明する。【０００７】  図１から図７は何れも本発明の一実施例としての柔軟軽量塵取りに関するものであって、図１は塵取り１の外観斜視図である。図２は塵取り１の平面図である。図３は塵取り１の側面図である。図４は塵取り１の正面図である。図５は塵取り１を壁に立て掛けた状態の斜視図である。図６は柄６を持ち上げた状態の斜視図である。図７は塵取り１の排出用ツマミ４１を摘み上げた状態の斜視図である。【０００８】  本実施形態にかかる塵取り１は図１から図４に示すように、前方に横に置いた円筒の上部の一部を斜めに欠いた形の開口部２と後方に袋状の収容袋４を結合した本体３と、本体３に枢支される連結体５と、連結体５の略中央部分に連結され、連結体５を介して本体３に回動自在に連結される柄６で構成されている。【０００９】  開口部２は横に置いた円筒の上部の一部を斜めに欠いた形をなし、前部に略Ｕ字形の掃き込み口２２を開口する。この掃き込み口２２は掃き込み縁２３から後上方に向かって開口している。連結体５が掃き込み縁２３よりも大きく後退しているので、ほうき等により塵埃を収容袋４内に掃きこむのが容易である。本体３のうち重心よりも前方の開口部側面２１の後方上部に連結軸貫通穴２４が左右１つずつ設けられている。連結軸５２が連結軸貫通穴２４に挿入されることで連結体５と本体３は連結軸５２を介して回動可能な結合がなされ、柄６により本体３を吊り上げると、本体３が掃き込み口２２を上方に向ける（図６）。同様に柄６の上端を床面に立てると本体３が掃き込み口２２を上方に向ける（図５）。開口は連結軸貫通穴２４の後部で終了している。開口部２を形成する材料としてポリプロピレン等を適宜採用し得る。【００１０】  収容袋４は袋状をなし、開口部分が開口部２の後端に結合線４２に沿って結合されている。収容袋４の後方上部に排出用ツマミ４１が設けられている。排出用ツマミ４１を摘み上げると連結軸５２を中心に収容袋４の後端が上方に昇り、同時に開口部２が下方に向く（図７）。収容袋４を形成する材料としてＯＰＰ、ポリプロピレン等を適宜採用し得る。【００１１】  連結体５は、略三角形をなす結合部５５と、その結合部５５の中央部に結合部５５の立ち上がり角度に対し鋭角に後方上部に向く柄挿入筒５６からなる。角度をつけることで図５に示すように壁に立て掛けたとき転倒防止突起が前面にせり出し転倒防止効果が強固になる。結合部５５の前面下部に転倒防止突起５４が左右１つずつ設けられている。結合部５５下部に本体３との回動可能な連結をするため連結軸穴５１が左右に貫通しており、連結軸穴５１に連結軸５２が挿入されている。連結軸５２の両端は軸に対し直角に起倒する起倒留め金５３が設けられている。起倒留め金５３を倒すと連結軸５２が連結体５から抜き出される。これにより本体３と柄６の交換が可能となる。
連結体５を形成する材料としてＡＢＳ樹脂等を適宜採用し得る。連結軸５２を形成する材料として金属、ＡＢＳ樹脂等を適宜採用し得る。【００１２】  柄６は柄挿入筒５６に挿入され、連結体５に貫通した連結軸５２を介して本体３に回動自在に連結される。【００１３】  なお、以上の実施例は単に図に基づいた説明の使宜のためのものであって、実際の使用状態等を限定するものではない。また、以上の実施例についての記述における構成部品の寸法、個数、材質、形状その相対配置などは、特にそれらに限定される旨の記載がない限りは、この発明の範囲をそれらのみに限定する趣旨のものではなく、単なる説明例に過ぎない。
【図面の簡単な説明】
【００１４】
【図１】  本発明の一実施形態にかかる塵取り１の外観斜視図である。
【図２】  図１の塵取り１の平面図である。
【図３】  図１の塵取り１の側面図である。
【図４】  図１の塵取り１の正面図である。
【図５】  図１の塵取り１を壁に立て掛けた状態の斜視図である。
【図６】  図１の柄６を持ち上げた状態の斜視図である。
【図７】  図１の塵取り１の排出用ツマミ４１を摘み上げた状態の斜視図である。
【符号の説明】
【００１５】  １  塵取り
２  開口部
３  本体
４  収容袋
５  連結体
６  柄
【図１】
2008055118.tif 000003
【図２】
2008055118.tif 000004
【図３】
2008055118.tif 000005
【図４】
2008055118.tif 000006
【図５】
2008055118.tif 000007
【図６】
2008055118.tif 000008
【図７】
2008055118.tif 000009